(57)【要約】【課題】シンク、加熱調理器及び収納部等の配置換えや、システムキッチンのレイアウト変更を容易にしうる。【解決手段】キッチン２に配されるシステムキッチン１である。上面にシンク４が設けられたシンクモジュール３Ａと、上面に加熱調理器５が設けられた調理器モジュール３Ｂと、前面から物品を出し入れしうる棚７又は引き出し８からなる収納部６を有する収納部モジュール３Ｃとを少なくとも含んでいる。各モジュール３は、互いに独立して移動可能、かつ平面視において略正方形に形成される。【選択図】図１
2010137008.tif 000002
【特許請求の範囲】
【請求項１】
キッチンに配されるシステムキッチンであって、
上面にシンクが設けられたシンクモジュールと、上面に加熱調理器が設けられた調理器モジュールと、前面から物品を出し入れしうる棚又は引き出しからなる収納部を有する収納部モジュールとを少なくとも含み、
各モジュールは、互いに独立して移動可能、かつ、平面視において略正方形であることを特徴とするシステムキッチン。
【請求項２】
前記各モジュールには、上面高さを調節できる調節手段が設けられる請求項１に記載のシステムキッチン。
【請求項３】
前記各モジュールには、床面を転動する車輪と、この車輪による移動を防止するストッパとが設けられる請求項１又は２に記載のシステムキッチン。
【請求項４】
前記加熱調理器は、電気式加熱調理器である請求項１ないし３のいずれかに記載のシステムキッチン。
【発明の詳細な説明】
【技術分野】
【０００１】
本発明は、シンク、加熱調理器及び収納部等を容易に配置換え又はレイアウト変更しうるシステムキッチンに関する。
【背景技術】
【０００２】
近年、図１１に示されるように、様々なタイプのシステムキッチンｓが提案されている。図１１（ａ）のものは、キッチンｋの壁面ｗに沿って設けられる壁付タイプ、図１１（ｂ）のものは壁面ｗからのびる対面タイプ等、さらに図１１（ｃ）のものは、壁面ｗから完全に独立したアイランドタイプである（例えば下記特許文献１参照）。ユーザは、これら様々なものの中から好みのタイプを選択することができる。
【特許文献１】特開２００８−２３７５０５号公報
【発明の開示】
【発明が解決しようとする課題】
【０００３】
しかしながら、従来のシステムキッチンｓは、例えば、シンク、加熱調理器及び収納部等が分離できない一体型に形成されるため、キッチンｋ内に施工された後は、これらの配置を容易に変更できないという問題があった。特に、住生活環境の変化等によってキッチンのレイアウト変更を余儀なくされる場合、新たにシステムキッチンｓを買い換える必要があった。
【０００４】
本発明は、以上のような実状に鑑み案出されたもので、シンクモジュール、調理器モジュール及び収納部モジュールを少なくとも含み、各モジュールは、互いに独立して移動可能、かつ平面視において実質的に同一幅及び同一の奥行き寸法を有する矩形状に形成すること基本として、モジュールの配置やレイアウトを容易に変更しうるシステムキッチンを提供することを主たる目的としている。
【課題を解決するための手段】
【０００５】
本発明のうち請求項１記載の発明は、キッチンに配されるシステムキッチンであって、上面にシンクが設けられたシンクモジュールと、上面に加熱調理器が設けられた調理器モジュールと、前面から物品を出し入れしうる棚又は引き出しからなる収納部を有する収納部モジュールとを少なくとも含み、各モジュールは、互いに独立して移動可能、かつ、平面視において略正方形であることを特徴とする。
【０００６】
また請求項２記載の発明は、前記各モジュールには、上面高さを調節できる調節手段が設けられる請求項１に記載のシステムキッチンである。
【０００７】
また請求項３記載の発明は、前記各モジュールには、床面を転動する車輪と、この車輪による移動を防止するストッパとが設けられる請求項１又は２に記載のシステムキッチンである。
【０００８】
また請求項４記載の発明は、前記加熱調理器は、電気式加熱調理器である請求項１ないし３のいずれかに記載のシステムキッチンである。
【発明の効果】
【０００９】
本発明のシステムキッチンは、上面にシンクが設けられたシンクモジュールと、上面に加熱調理器が設けられた調理器モジュールと、前面から物品を出し入れしうる棚又は引き出しからなる収納部を有する収納部モジュールとを少なくとも含んで形成されるとともに、各モジュールは、互いに独立して移動可能に形成される。このようなシステムキッチンは、シンク、加熱調理器及び収納部がそれぞれ独立したモジュールで構成されるので、これら各モジュールの配置換えを容易にできる。
【００１０】
しかも、各モジュールは、平面視において実質的に略正方形に形成されるので、各モジュールを多様な形で自由に向き換えないし組合せでき、システムキッチンのレイアウト変更ができる。
【発明を実施するための最良の形態】
【００１１】
以下、本発明の実施の一形態が図面に基づき説明される。
【００１２】
図１には、本実施形態のシステムキッチン１の一形態を示す斜視図、図２には、図１のシステムキッチン１を具えたキッチンの平面図が示される。
【００１３】
前記システムキッチン１は、互いに独立して移動可能、かつ平面視において略正方形に形成された複数のモジュール３が組み合わされて形成される。本実施形態のシステムキッチン１は、各モジュール３が横一列に隙間無く並べられることにより、キッチン２の壁面Ｗから半島状にのびる対面タイプ（ペニンシュラ型）に形成される。
【００１４】
図１に示されるように、本実施形態の前記モジュール３は、上面にシンク４が設けられたシンクモジュール３Ａと、上面に加熱調理器５が設けられた調理器モジュール３Ｂと、前面から物品を出し入れしうる収納部６を有する収納部モジュール３Ｃと、食器洗い乾燥機９を内蔵した食洗器モジュール３Ｄとが含まれている。なお、収納部モジュール３Ｃは、例えば、棚７が形成される棚モジュール３Ｃ１及び／又は引き出し８が形成される引き出しモジュール３Ｃ２を含むことができる。
【００１５】
このように、本実施形態のシステムキッチン１は、シンク４、加熱調理器５及び収納部６等がそれぞれ独立して移動可能なモジュール３で構成されるので、住生活環境の変化に応じて、各モジュール３を移動させることによって、それぞれの配置を容易に変更でき、ひいては使い勝手を向上しうる。
【００１６】
例えば、本実施形態のシステムキッチン１は、図２に示した直線状の対面タイプから、図３に示されるようなＬ型の壁付きタイプにレイアウトを容易に変更できる。特に、各モジュール３は、平面視において略正方形に形成されるので、それぞれのモジュール３が向きを換えて配置されても、隣り合うモジュール３の辺Ｓが一致するため、様々なレイアウトに配置できる。
【００１７】
また、このようなシステムキッチン１は、将来のモジュール３の配置換えなどを考慮し、キッチン２の所定の位置に設置されるのが望ましい。例えば、図４（ａ）に示されるように、キッチン２をモジュール３の大きさに実質的に等しい正方形領域Ｔで碁盤目状に仮想区画し、その正方形領域Ｔに合わせてモジュール３を配置させることができる。このようなキッチン２の構造では、例えば、調理器モジュール３Ｂ、棚モジュール３Ｃ１及び引き出しモジュール３Ｃ２を、それぞれ正方形領域Ｔａ、Ｔｂ、Ｔｃに移動させることによって、図４（ｂ）に示されるように、他のモジュールを移動させることなしに、部分壁付けタイプにレイアウトに変更できる。従って、このようなキッチンの構造では、モジュール３の移動を最小限に抑えつつ、将来の住生活環境の変化に備えた多様なレイアウト変更が可能になる点で望ましい。
【００１８】
図５、図６及び図７に示されるように、本実施形態の各モジュール３は、例えば断面Ｌ字状の枠材１２を組み付けて形成される縦長の直方体状の枠体１１に、天板や面材等の部材が取り付けられて略箱体状に形成される。これにより、各モジュール３の基本構成部分が共通化され、製造コストの低減に役立つ。
【００１９】
図５に示されるように、本実施形態のシンクモジュール３Ａは、前記枠体１１と、該枠体１１の上面側に取り付けられる平面視略正方形のシンク部材２１と、枠体１１の前面、背面及び両側面を覆う面材２２とから形成される。
【００２０】
また、シンク部材２１には、シンク４と、温度調節可能な水栓金具２３と、該シンク４に形成される排水口２４と、該排水口２４の下方に形成される排水トラップ２５とが予め設けられている。なお、シンクモジュール３Ａは、平面視において、面材２２などの各部材がシンク部材２１から突出することなく、略正方形に形成されるのが望ましい。
【００２１】
前記水栓金具２３には、水道水を案内する給水ホース２６と、温水を案内する給湯ホース２７とが連結される。給水ホース２６及び給湯ホース２７は、キッチンの床面１７（図９に示す）と枠体１１との間の隙間２８からモジュール３の外部に引き出され、例えば、図８に示されるキッチン２の壁面Ｗ側に設けられる給水管３１及び給湯管３２にそれぞれ接続される。
【００２２】
前記排水トラップ２５の下流側には、シンク４の排水を案内する排水ホース３３が連結される。排水ホース３３は、枠体１１の前記隙間２８から、壁面Ｗ側に設けられる排水管３４に接続される。
【００２３】
このように、シンクモジュール３Ａは、給水ホース２６、給湯ホース２７及び排水ホース３３が床面１７との間の隙間２８から引き出されて配管されるため、給水管３１、給湯管３２及び排水管３４の設置場所に制約されることなく、容易に配置換え等を行うことができる。
【００２４】
また、図６に示されるように、本実施形態の棚モジュール３Ｃ１は、前記枠体１１と、前面以外の三方を覆う面材２２と、枠体１１の上面側に取り付けられる平面視略正方形の天板３５と、枠体１１の内部に配される棚７とから形成される。
【００２５】
前記棚７は、例えば、上の棚板７Ａ、中の棚板７Ｂ及び下の棚板７Ｃの合計３枚を含み、それぞれ平面視略矩形状に形成される。各棚板７Ａ、７Ｂには、その下面に凹部３７が形成される。この凹部３７は、面材２２に挿し込まれたダボピン３８に嵌合され、枠体１１の内部で支持される。また、下の棚板７Ｃは、例えば枠材１２の水平面１２Ｓ上に載置させることができる。
【００２６】
また、図７に示されるように、本実施形態の引き出しモジュール３Ｃ２は、枠体１１、前面を除く三方を囲む面材２２、天板３５、及び枠体１１の内部に出し入れ自在に収納される複数段の引き出し８から形成される。各引き出し８は、前板８ａ、底板８ｂ、側板８ｃ及び向板８ｄから形成された上面開口の箱状体からなる。また、各引き出し８には、側板８ｃの下端に沿って水平方向にのびる一対のインナーレール４１が設けられる。このインナーレール４１は、枠体１１内の両側面に配されるアウターレール４２にスライド可能に嵌合される。これにより、引き出し８は、引き出しモジュール３Ｃ２の前面から出し入れ可能に形成される。
【００２７】
図１に示したように、本実施形態の調理器モジュール３Ｂは、他のモジュール３と同様、枠体１１及び面材２２で構成され、上面には加熱調理器５が配される。本実施形態の加熱調理器５は、電気式加熱調理器５Ｅが採用される。このため、例えば、ガス調理器のようなガスホース等の配管が不要であり、調理器モジュール３Ｂの配置換え等がより一層容易に行なえる。また、加熱調理器５の下方には、例えば、棚等が設けられてもよい。
【００２８】
食洗器モジュール３Ｄは、枠体１１内部に食器洗い乾燥機９が配される。図８に示されるように、食洗器モジュール３Ｄには、食器等の被洗浄物を収納する洗浄槽４５に形成される排水口４６と、該排水口４６の下方に形成される排水トラップ４７と、該排水トラップ４７に接続される排水ホース４８と、該洗浄槽４５に水道水を案内する給水ホース４９とが配される。
【００２９】
前記排水ホース４８は、隙間２８からモジュール３の外部へ引き出され、例えば、シンクモジュール３Ａ側の排水ホース３３と接続管５１を介して接続されている。給水ホース４９も同様に、隙間２８から枠体１１の外へ引き出され、シンクモジュール３Ａ側の給水ホース２６と三ツ又状の接続管５２を介して取り外し可能に接続される。これにより、食洗器モジュール３Ｄは、排水ホース４８及び給水ホース４９の配管を複雑にすることなく容易に接続できるので、配置換えや向き換えが容易に行なえる。
【００３０】
また、各モジュール３の枠体１１の下部の四隅には、該枠体１１から下方へ突出する略台形状のフレーム枠からなる下突部１３が設けられる。
【００３１】
図９（ａ）に拡大して示されるように、下突部１３には、床面１７を転動する車輪１４と、この車輪１４による移動を防止するストッパ１５と、モジュール３の上面高さＨ（図１に示す）を調節できる調節手段１６とが設けられている。
【００３２】
前記車輪１４としては、首振り自在のキャスター輪が採用されているが、例えば全方向に転動可能なボールキャスター等が採用されてもよい。これらの車輪１４は、床面１７を転動して各モジュール３を自在の位置に容易に移動させることができる。
【００３３】
前記ストッパ１５は、そのレバーの傾動により車輪１４の回転のロック又はアンロックをワンタッチで切替えしうる。従って、各モジュール３を所定の位置にまで移動させた後、ストッパ１５によって車輪１４の転動を拘束することにより、各モジュール３の移動、ないしふらつきを防止できる。
【００３４】
前記調節手段１６は、例えば、下突部１３に形成された垂直方向にのびるネジ孔１８と、このネジ孔１８に螺合し、かつ、下突部１３から下方にのびるボルト状の脚部１９とから形成される。
【００３５】
前記脚部１９は、ネジ孔１８に螺合されることによって下突部１３に対して上下に移動できる。例えば、図９（ｂ）に示されるように、脚部１９を下突部１３から大きく突出させることにより、車輪１４を床面１７から浮かせ、枠体１１を上昇させることができる。これにより、モジュール３の上面高さＨ（図１に示す）が調節される。また、車輪１４を床面１７から浮かせることにより、各モジュール３は、脚部１９によってキッチン２をより安定して設置され得る。
【００３６】
また、上記調節手段１６は、各モジュール３の上面高さを個別に調整するのに役立つ。例えば、図１０（ａ）に示されるように、シンクモジュール３Ａ及び調理器モジュール３Ｂが、同じ上面高さＨ２である場合、シンク４はモジュール３の上面から凹んで形成されるため、シンクモジュール３Ａでのユーザーの姿勢が前かがみになり、腰部に負担が生じるおそれがある。このような場合には、図１０（ｂ）に示されるように、シンクモジュール３Ａの上面高さＨ１を、他のモジュールよりも相対的に高く設定できる。これにより、ユーザーの前かがみの作業姿勢を緩和し、負担を軽減するのに役立つ。
【００３７】
以上、本発明の特に好ましい実施形態について詳述したが、本発明は図示の実施形態に限定されることなく、種々の態様に変形して実施しうる。
【図面の簡単な説明】
【００３８】
【図１】本実施形態のシステムキッチンの一形態を示す斜視図である。
【図２】図１のシステムキッチンの平面図である。
【図３】図２のシステムキッチンのレイアウトを変更した状態を示す平面図である。
【図４】（ａ）はモジュールがキッチン内を仮想的に区画された碁盤目状の正方形領域に配置された状態を示す平面図、（ｂ）は（ａ）のシステムキッチンのレイアウトを変更した状態を示す平面図である。
【図５】シンクモジュールの分解斜視図である。
【図６】棚モジュールの分解斜視図である。
【図７】引き出しモジュールの分解斜視図である。
【図８】シンクモジュール及び食洗機モジュールのホースの配管の状態を示す図である。
【図９】（ａ）は高さ調節手段、車輪及びストッパを拡大して示す側面図、（ｂ）は調節手段によって枠体が支持された状態を示す側面図である。
【図１０】（ａ）はシンクモジュール及び調理器モジュールの上面高さが同一の状態を示す側面図、（ｂ）はシンクモジュール及び調理器モジュールの上面高さが違えられた状態を示す側面図である。
【図１１】（ａ）は従来の壁付きタイプのシステムキッチン、（ｂ）は従来の対面タイプ（ペニンシュラ型）のシステムキッチン、（ｃ）は従来の対面タイプ（アイランド型）のシステムキッチンを示す平面図である。
【符号の説明】
【００３９】
１    システムキッチン
２    キッチン
３    モジュール
３Ａ  シンクモジュール
３Ｂ  調理器モジュール
３Ｃ  収納部モジュール
６    収納部
７    棚
８    引き出し
【図１】
2010137008.tif 000003
【図２】
2010137008.tif 000004
【図３】
2010137008.tif 000005
【図４】
2010137008.tif 000006
【図５】
2010137008.tif 000007
【図６】
2010137008.tif 000008
【図７】
2010137008.tif 000009
【図８】
2010137008.tif 000010
【図９】
2010137008.tif 000011
【図１０】
2010137008.tif 000012
【図１１】
2010137008.tif 000013